(57)【要約】【課題】携帯電灯の電源となる二次電池を、商用電源の存在しない場所でも充電できるようにする。【解決手段】携帯電灯１は、発光部１１と、発光部１１の電源となる二次電池３０と、二次電池３０の充電回路と、充電回路への給電部を構成するソーラーパネル接続ジャック１６と、二次電池３０から外部への給電を可能にする外部出力ジャック１７を備える。二次電池３０の充電は、ソーラーパネル接続ジャック１６に接続されたソーラーパネル４１によって行われる。外部出力ジャック１７はＵＳＢジャックである。筐体１は縦長で、前面が発光部１１となっており、発光部１１の背後上部にハンドル１２が形成されるとともに、筐体１０の背面下部には、ハンドル１２に吊り下げストラップ４０の一端を取り付けた場合に他端の取り付け箇所となるストラップ係止部１４が形成されている。【選択図】図２
2012028129.tif 000002
【特許請求の範囲】
【請求項１】
発光部と、前記発光部の電源となる二次電池と、前記二次電池の充電回路と、前記充電回路への給電部を構成するソーラーパネル接続ジャックと、前記二次電池から外部への給電を可能にする外部出力ジャックを備えることを特徴とする携帯電灯。
【請求項２】
前記外部出力ジャックはＵＳＢジャックであることを特徴とする請求項１に記載の携帯電灯。
【請求項３】
筐体が縦長で、前面が前記発光部となっており、前記発光部の背後上部にハンドルが形成されるとともに、当該筐体の背面下部には、前記ハンドルに吊り下げストラップの一端を取り付けた場合に当該吊り下げストラップの他端の取り付け箇所となるストラップ係止部が形成されていることを特徴とする請求項１または２に記載の携帯電灯。
【請求項４】
前記ストラップ係止部が形成される位置は、前記ソーラーパネル接続ジャック及び前記外部出力ジャックより上方であることを特徴とする請求項３に記載の携帯電灯。
【請求項５】
前記筐体は左右のシェルを合わせて構成されるものであり、前記左右のシェルの間に、前記発光部の構成要素である反射板と、当該反射板の前面を覆うレンズが挟み込まれて固定されるものであることを特徴とする請求項４に記載の携帯電灯。
【請求項６】
前記反射板に配置された複数のＬＥＤが光源を構成することを特徴とする請求項５に記載の携帯電灯。
【発明の詳細な説明】
【技術分野】
【０００１】
本発明は電源として二次電池を備える携帯電灯に関する。
【背景技術】
【０００２】
携帯電灯の中には、二次電池を電源とするものがある。その例を特許文献１に見ることができる。
【０００３】
特許文献１に記載された携帯電灯は、本体ケースの前面に配置された２本の直管状のランプを発光させて照明を行う。本体ケースに納装された二次電池の電力を点灯電力に変換してランプを点灯する。
【先行技術文献】
【特許文献】
【０００４】
【特許文献１】特開２００１−１６７６０４号公報（国際特許分類：Ｆ２１Ｌ４／００、Ｆ２１Ｌ１４／００）
【発明の概要】
【発明が解決しようとする課題】
【０００５】
特許文献１に記載された携帯電灯は、商用電源により二次電池の充電を行うものであり、商用電源の存在する環境でないと使用できなかった。そこで本発明は、携帯電灯の電源となる二次電池を、商用電源の存在しない場所でも充電できるようにすることを目的とする。また、その二次電池を外部機器の電源としても使用できるようにすることを目的とする。
【課題を解決するための手段】
【０００６】
本発明の好ましい実施形態によれば、携帯電灯は、発光部と、前記発光部の電源となる二次電池と、前記二次電池の充電回路と、前記充電回路への給電部を構成するソーラーパネル接続ジャックと、前記二次電池から外部への給電を可能にする外部出力ジャックを備える。
【０００７】
本発明の好ましい実施形態によれば、上記構成の携帯電灯において、前記外部出力ジャックはＵＳＢジャックである。
【０００８】
本発明の好ましい実施形態によれば、上記構成の携帯電灯において、筐体が縦長で、前面が前記発光部となっており、前記発光部の背後上部にハンドルが形成されるとともに、当該筐体の背面下部には、前記ハンドルに吊り下げストラップの一端を取り付けた場合に当該吊り下げストラップの他端の取り付け箇所となるストラップ係止部が形成されている。
【０００９】
本発明の好ましい実施形態によれば、上記構成の携帯電灯において、前記ストラップ係止部が形成される位置は、前記ソーラーパネル接続ジャック及び前記外部出力ジャックより上方である。
【００１０】
本発明の好ましい実施形態によれば、上記構成の携帯電灯において、前記筐体は左右のシェルを合わせて構成されるものであり、前記左右のシェルの間に、前記発光部の構成要素である反射板と、当該反射板の前面を覆うレンズが挟み込まれて固定される。
【００１１】
本発明の好ましい実施形態によれば、上記構成の携帯電灯において、前記反射板に配置された複数のＬＥＤが光源を構成する。
【発明の効果】
【００１２】
本発明に係る携帯電灯は、ソーラーパネルが発電した電力で二次電池を充電するものであるから、商用電源の存在しない場所でも使用可能である。また、外部出力端子を備えるから、二次電池の電力を外部機器で使用することも可能である。
【図面の簡単な説明】
【００１３】
【図１】本発明の実施形態に係る携帯電灯の斜視図である。
【図２】前記携帯電灯の背面図である。
【図３】前記携帯電灯の正面図である。
【図４】図３のＡ−Ａ線に沿って切断した水平断面図である。
【図５】図３のＢ−Ｂ線に沿って切断した垂直断面図である。
【図６】前記携帯電灯の反射板とレンズの斜視図である。
【図７】前記反射板とレンズを組み合わせた状態の斜視図である。
【図８】前記携帯電灯の筐体のストラップ係止部を示す部分断面図である。
【図９】前記携帯電灯に吊り下げストラップを取り付けた状態を示す側面図である。
【図１０】前記携帯電灯のブロック構成図である。
【図１１】前記携帯電灯にソーラー発電パネルを接続する状況を示す斜視図である。
【図１２】前記携帯電灯に外部機器を接続する状況を示す斜視図である。
【発明を実施するための形態】
【００１４】
以下、図に基づき本発明の実施形態に係る携帯電灯の構造を説明する。
【００１５】
携帯電灯１は、合成樹脂の成型品からなる縦長の筐体１０を備える。筐体１０は左右二つ割り（正面から見て左側を左、右側を右とする）にした２個のシェル、すなわち左シェル１０Ｌと右シェル１０Ｒを合わせて複数のビス（図示せず）で結合することにより構成される。
【００１６】
筐体１０の前面は発光部１１となっている。発光部１１の背後上部には、筐体１０の上部から背面にかけて、略Ｌ次状をなすように、筐体１０を片手で提げるためのハンドル１２が形成される。筐体１０の背面には、図２に示す通り、上部にダルマ穴１３、下部にストラップ係止部１４が形成されている。ダルマ穴１３は筐体１０を壁に掛けるためのものである。ストラップ係止部１４は凹部１４ａとその中を横切る水平な支軸１４ｂからなる。ハンドル１２は左シェル１０Ｌと右シェル１０Ｒを合わせることにより形成され、ダルマ穴１３とストラップ係止部１４も左シェル１０Ｌと右シェル１０Ｒの合わせ目に形成されている。図８に示す通り、ストラップ係止部１４の支軸１４ｂは右シェル１０Ｒに一体成型され、その先端を左シェル１０Ｌが受け入れる形になっている。このように支軸１４ｂは両端に支えを有するため、強度が高く、後述するストラップをしっかりと取り付けることができる。
【００１７】
ストラップ係止部１４の下には、左シェル１０Ｌと右シェル１０Ｒの間に挟み込まれるジャックベース１５が露出している。ジャックベース１５には２個のジャックが左右に並ぶ。図２において右側のジャックはソーラーパネル接続ジャック１６、左側のジャックは外部出力ジャック１７である。外部出力ジャック１７はＵＳＢ（universal serial bus）ジャックである。
【００１８】
筐体１０は発光部１１の箇所が開口部１８になっている。開口部１８には反射板１９とその前面を覆うレンズ２０（図６参照）が取り付けられる。反射板１９は後述する複数のＬＥＤの光を前方に反射するものであり、漏斗状の反射鏡部２１が、２列６行のマトリックス状に配置されている。図４に示す通り、反射鏡部２１の斜面の断面は直線となっている。反射板１９の頂部には後述する充電表示ＬＥＤを支持するＬＥＤ支持部２２が形成される。レンズ２０は透明な合成樹脂で成型され、かまぼこのような形状を呈している。
【００１９】
反射板１９とレンズ２０は、図７に示すように組み合わせておいてから左シェル１０Ｌと右シェル１０Ｒの間に挟み込む。従来は、ＬＥＤユニットと反射板を筐体に組み込んだ後でレンズを填め込んでいたため、筐体とレンズの間にある程度の隙間が必要であり、その隙間から発光部へ埃が侵入していた。反射板１９とレンズ２０を先に組み合わせてから左シェル１０Ｌと右シェル１０Ｒの間に挟み込むこととすれば、筐体１０とレンズ２０の間の隙間を詰めることができ、発光部１１への埃の侵入を防ぐことができる。
【００２０】
反射板１９とレンズ２０の組み合わせを左シェル１０Ｌと右シェル１０Ｒの間に挟んだ状態では、レンズ２０の上端と下端に２個ずつ形成された突起２３が、図５に示すように開口部１８の縁に引っかかる。このため、レンズ２０と反射板１９が開口部１８から抜け出すことはない。
【００２１】
筐体１０には図１０に示す構成要素が内蔵される。すなわち二次電池３０、スイッチ基板３１、ＬＥＤ基板３２、プラグ基板３３、及び充電表示ＬＥＤ３４である。
【００２２】
スイッチ基板３１には、発光部１１の点灯／消灯を切り替えるスイッチ３５が取り付けられている。スイッチ３５はスライドスイッチであり、右シェル１０Ｒの外面に操作部を露出させている。
【００２３】
スイッチ基板３１には回路ブロック３６が形成される。回路ブロック３６には、ＬＥＤ駆動回路、過放電防止回路、充電制御回路、及び入力電圧検知回路が形成されている。ＬＥＤ支持部２２に支持され、図１に示す通りレンズ部を発光部１１の上に露出させる充電表示ＬＥＤ３４も回路ブロック３６で点灯制御される。
【００２４】
ＬＥＤ基板３２には、発光部１１の光源を構成する複数のＬＥＤ３７が取り付けられている。ＬＥＤ基板３２は反射板１９の背面に配置されるものであり、反射鏡部２１の奥の開口部２４から反射鏡部２１の中へ、ＬＥＤ３７の発光部を突き出させる。ＬＥＤ３７は回路ブロック３６で点灯制御される。
【００２５】
プラグ基板３３には前出のソーラーパネル接続ジャック１６と外部出力ジャック１７が取り付けられる。プラグ基板３３には、ソーラーパネル接続ジャック１６に接続する回路ブロック３８と、外部出力ジャック１７に接続する回路ブロック３９が形成されている。
【００２６】
回路ブロック３８にはＤＣ入力制御回路が形成されている。ＤＣ入力制御回路は回路ブロック３６の充電制御回路と共に二次電池３０の充電回路を構成する充電電流制御回路を含む。ソーラーパネル接続ジャック１６は充電回路への給電部となる。
【００２７】
回路ブロック３９にはＤＣ出力制御回路が形成されている。ＤＣ出力制御回路は過電流防止回路と過放電防止回路を含む。外部出力ジャック１７は二次電池３０から外部への給電部となる。
【００２８】
携帯電灯１の機能は次の通りである。スイッチ３５の操作部を点灯側にスライドさせると、回路ブロック３６のＬＥＤ駆動回路がＬＥＤ３７を点灯させる。これにより発光部１１が光り、前方を照らす。点灯した携帯電灯１はランタンとして使用できる。携帯電灯１は地面、床、テーブルなどの上に置いて使用することもできるし、ハンドル１２を握って
携行することもできる。ダルマ穴１３により壁に掛けることもできる。図９に示すように、吊り下げストラップ４０の一端をストラップ係止部１４に取り付け、他端を略Ｌ字状のハンドル１２の背面側に取り付ければ、発光部１１を下にする形で携帯電灯１を吊り下げることができる。この状態の携帯電灯１は、テントなどの天井照明として用いることができる。
【００２９】
発光部１１で使用された電力は、二次電池３０を充電することにより補充しなければならない。二次電池３０の充電には図１１に示すソーラーパネル４１で発電した電力を用いる。図２に示す通り、ソーラーパネル接続ジャック１６は左側が角形断面で右側が円形断面となった特殊形状であり、ソーラーパネル４１から延びる給電ケーブル４２のプラグ４３もソーラーパネル接続ジャック１７に対応する断面形状なので、ソーラーパネル４１以外の機器が誤ってソーラーパネル接続ジャック１６に接続されることはない。
【００３０】
上記の通り、携帯電灯１はソーラーパネル４１で二次電池３０の充電を行うものであるから、太陽光がありさえすれば、商用電源の存在しないどのような場所でも長期にわたる使用が可能である。
【００３１】
外部出力ジャック１７を通じ、二次電池３０に外部機器を接続することもできる。例えば図１２のように、携帯電話機４４の充電ジャックと外部出力ジャック１７をケーブル４５で接続し、携帯電話機４４の充電を行うことができる。外部出力ジャック１７はＵＳＢジャックなので、ＵＳＢケーブル経由で電力供給を受けることができる機器であれば、どのような機器でも外部出力ジャック１７に接続することができる。
【００３２】
尚、筐体１０背面のソーラーパネル接続ジャック１６や外部出力ジャック１７より上方となる位置にストラップ係止部１４が形成されているので、携帯電灯１を天井照明として用いる場合でも、ソーラーパネル接続ジャック１６へソーラーパネル４１を接続したり、外部出力ジャック１７へ外部機器を接続したりすることができる。
【００３３】
以上、本発明の実施形態につき説明したが、本発明の範囲はこれに限定されるものではなく、発明の主旨を逸脱しない範囲で種々の変更を加えて実施することができる。
【産業上の利用可能性】
【００３４】
本発明は電源として二次電池を備える携帯電灯に広く利用可能である。
【符号の説明】
【００３５】
１    携帯電灯
１０  筐体
１０Ｌ  左シェル
１０Ｒ  右シェル
１１  発光部
１２  ハンドル
１４  ストラップ係止部
１６  ソーラーパネル接続ジャック
１７  外部出力ジャック
１９  反射板
２０  レンズ
３０  二次電池
３７  ＬＥＤ
４０  吊り下げストラップ
４１  ソーラーパネル
４４  携帯電話機
【図１】
2012028129.tif 000003
【図２】
2012028129.tif 000004
【図３】
2012028129.tif 000005
【図４】
2012028129.tif 000006
【図５】
2012028129.tif 000007
【図６】
2012028129.tif 000008
【図７】
2012028129.tif 000009
【図８】
2012028129.tif 000010
【図９】
2012028129.tif 000011
【図１０】
2012028129.tif 000012
【図１１】
2012028129.tif 000013
【図１２】
2012028129.tif 000014